(57)【要約】      （修正有）【課題】透明な自然石の内部の形状や構造などを鑑賞できるとともに、光を自然石に照明して、自然石のレイアウト上又はデザイン上の自由度を損なうことなく、自然石のデザイン性、インテリア性を高めることができる置物を提供する。【解決手段】自然石を載置する置物１００であって、上方を照らす照明部を備える本体１０と、本体の上面に配置され、光を透過する透明の台座部材２１とを有し、照明部は、台座部材に載置された自然石を照らすことによって、自然石を透過して光を発する。【選択図】図２
0003197891.tif 000002
【実用新案登録請求の範囲】
【請求項１】
自然石を載置する置物であって、
上方を照らす照明部を備える本体と、
前記本体の上面に配置され、光を透過する透明の台座部材と
を有し、
前記照明部は、前記台座部材に載置された前記自然石を照らすことによって、該自然石を透過して光を発する、
ことを特徴とする置物。
【請求項２】
前記台座部材は、コップ形状又はグラス形状であり、前記コップ形状又は前記グラス形状の内部に前記自然石を載置される、
ことを特徴とする請求項１に記載の置物。
【請求項３】
前記台座部材を覆う透明のカバー部材を更に有する、ことを特徴とする請求項１又は請求項２に記載の置物。
【考案の詳細な説明】
【技術分野】
【０００１】
本考案は、自然石を載置する置物に関する。また、本考案は、特にデザイン性、インテリア性を高めた自然石を載置する置物に関する。
【背景技術】
【０００２】
特許文献１では、自然石の載置状態を簡単に安定化させることができ、また置物としての装飾性を高めることができ、さらに鑑賞者の心を十分に楽しませることが可能な置物及び載置台として、載置面の上に敷き詰められた小石状の大きさの天然石と、天然石からなる層の上に載置された自然石からなる鑑賞用石材とを具備する置物に関する技術を開示している。
【先行技術文献】
【特許文献】
【０００３】
【特許文献１】登録実用新案第３１７２２１１号公報
【考案の概要】
【考案が解決しようとする課題】
【０００４】
しかしながら、特許文献１に開示されている技術では、透明な自然石の内部の形状や構造などを鑑賞することができない場合がある。また、特許文献１には、光を自然石に照明して、自然石のデザイン性、インテリア性を高める方法が記載されていない。
【０００５】
本考案は、光を自然石に照明して、自然石のレイアウト上又はデザイン上の自由度を損なうことなく、自然石のデザイン性、インテリア性を高める置物を提供することを目的とする。
【課題を解決するための手段】
【０００６】
上記課題を解決するために、本考案の一つの実施形態は、自然石を載置する置物であって、上方を照らす照明部を備える本体と、前記本体の上面に配置され、光を透過する透明の台座部材とを有し、前記照明部は、前記台座部材に載置された前記自然石を照らすことによって、該自然石を透過して光を発する、ことを特徴とする置物を提供する。
【０００７】
本考案の他の実施形態は、上記の置物であって、前記台座部材は、コップ形状又はグラス形状であり、前記コップ形状又は前記グラス形状の内部に前記自然石を載置される、ことを特徴とする置物であってもよい。
【０００８】
本考案の他の実施形態は、上記のいずれか１つの置物であって、前記台座部材を覆う透明のカバー部材を更に有する、ことを特徴とする置物であってもよい。
【考案の効果】
【０００９】
本考案に係る置物によれば、透明な自然石の内部の形状や構造などを鑑賞することができる。また、本考案に係る置物によれば、光を自然石に照明して、自然石のレイアウト上又はデザイン上の自由度を損なうことなく、自然石のデザイン性、インテリア性を高めることができる。
【図面の簡単な説明】
【００１０】
【図１】本考案の実施形態に係る置物の一例を示す説明図である。
【図２】本考案の実施形態に係る置物の一例を示す正面図である。
【図３】本考案の実施形態に係る置物の本体の一例を示す説明図である。
【図４】本考案の実施形態に係る置物の台座部材の一例を示す説明図である。
【図５】本考案の実施形態に係る置物のカバー部材の一例を示す説明図である。
【図６】本考案の実施例に係る置物の本体の一例を示す説明図である。
【図７】本考案の実施例に係る置物の一例を示す説明図である。
【図８】本考案の実施例に係る置物の一例を示す説明図である。
【考案を実施するための形態】
【００１１】
実施形態に係る置物の例を用いて、本考案を説明する。なお、本考案は、以後に説明する置物以外でも、載置した自然石に光を照射するもの（装置、部品、部材、アプリケーション、システムなど）であれば、いずれのものにも用いることができる。ここで、本考案に用いることができる自然石は、特に限定されない。自然石は、例えば水晶、翡翠、トルマリン等、又は、さざれ石若しくはいわゆるパワーストーンを用いることができる。また、自然石は、観賞用石材を用いてもよい。なお、自然石の形状は、角ばっていてもよく、丸みを帯びていてもよい。また、自然石の形状は、透明、半透明、色付きのものであってもよい。
【００１２】
以後に、本考案を説明する。
【００１３】
図１乃至図５を用いて、本考案の実施形態に係る置物１００の構成を説明する。ここで、図１は、本考案の実施形態に係る置物１００の一例を示す説明図である。図２は、本考案の実施形態に係る置物１００の一例を示す正面図である。図３（ａ）は、本考案の実施形態に係る置物１００の本体１０の一例を示す正面から見た斜視図である。図３（ｂ）は、本考案の実施形態に係る置物１００の本体１０の一例を示す背面から見た斜視図である。図４は、本考案の実施形態に係る置物１００の台座部材２１の一例を示す説明図である。図５は、本考案の実施形態に係る置物１００のカバー部材２２の一例を示す説明図である。なお、図１等に示す置物の構成等は一例であり、本考案は図１等に示す置物等に限定されるものではない。
【００１４】
図１に示すように、本考案に係る置物１００は、自然石を観賞するために用いるものである。置物１００は、その上面に自然石を載置される。ここで、置物１００の形状は、図１に示すものに限定されるものではない。
【００１５】
なお、本考案に係る置物１００は、硬質プラスチック、金属、セラミック等などの材質を用いてもよい。また、本考案に係る置物１００は、少なくとも上面に所望の自然石を配置できる表面を有する。
【００１６】
図２に示すように、本考案に係る置物１００は、上方を照らす照明部（後述する図３の１１）を備える本体１０と、本体１０の上面に配置された、光を透過する透明の台座部材２１とを有する。また、置物１００は、本実施形態では、台座部材２１を覆う透明のカバー部材２２を更に有する。ここで、置物１００の形状、本体１０の形状、台座部材２１の形状及びカバー部材２２の形状は、設計、実験又は計算で予め定められる形状であってもよい。
【００１７】
本考案に係る置物１００は、本体１０の照明部を用いて上方を照らし、台座部材２１に載置された自然石を照らす。これにより、本考案に係る置物１００によれば、自然石を透過して光を発することができる。また、本考案に係る置物１００によれば、自然石を透過して光を発することができるので、透明な自然石の内部の形状や構造などを鑑賞することができる。また、本考案に係る置物１００によれば、光を自然石に照明して、自然石のレイアウト上又はデザイン上の自由度を損なうことなく、自然石のデザイン性、インテリア性を高めることができる。
【００１８】
図３（ａ）及び図３（ｂ）に示すように、本考案に係る本体１０は、台座部材２１および自然石を載置される部材である。本体１０の形状は特に限定されるものではないが、平板形状とすることが好ましい。本体１０の材質は特に限定されるものではないが、木材製、陶製、金属製または樹脂製とすることができる。本考案に係る本体１０は、本実施形態では、上方を照らす照明部１１と、照明部１１のＯＮ／ＯＦＦ動作を制御するスイッチ部材１２と、主電源ボタン１３と、電源差し込み部１４とを備える。
【００１９】
照明部１１は、本体１０の上方を照らす光を発するものである。照明部１１は、ＬＥＤなどを用いることができる。また、照明部１１は、光量の強弱を変更したり、光量の強弱を変化させて揺らぎのある光を発したりしてもよい。これにより、照明部１１は、台座部材２１に載置された自然石を照らすことができる。また、照明部１１は、台座部材２１に載置された自然石を照らすことができるので、自然石を透過して光を発することができる。更に、照明部１１は、自然石を透過して光を発することができるので、透明な自然石の内部の形状や構造などを鑑賞させることができ、自然石のレイアウト上又はデザイン上の自由度を損なうことなく、自然石のデザイン性、インテリア性を高めることができる。なお、本考案に係る照明部は、無接点型（ワイヤレス）で充電可能なＬＥＤ照明を用いてもよい（例えば後述する図８）。
【００２０】
図４に示すように、本考案に係る台座部材２１は、自然石を配置する透明の部材である。台座部材２１は、本実施形態では、平板形状の部材を用いる。なお、本考案に係る台座部材は、コップ形状又はグラス形状であってもよい（例えば後述する図７）。台座部材の材質は特に限定されるものではないが、ガラス製、樹脂製、石英若しくはアクリル材料からなる板状の透明素材又はその他光を透過する材質を用いることができる。また、台座部材は、色付きのものであってもよい。
【００２１】
図５（ａ）及び図５（ｂ）に示すように、本考案に係るカバー部材２２は、台座部材２１（図２）を覆う透明の部材である。カバー部材２２は、本実施形態では、底面が開口した箱形状のものを用いる。なお、カバー部材の材質は特に限定されるものではないが、ガラス製、樹脂製又はその他光を透過する材質を用いることができる。また、カバー部材は、色付き、説明書きを付記したものであってもよい。これにより、本考案に係る置物は、カバー部材２２を用いて、自然石を外部の空気や汚れから保護することができる。また、本考案に係る置物は、鑑賞者、使用者、消費者の趣味趣向に合わせて、内部に載置する自然石を容易に取り換え又は洗浄することができる。
【００２２】
以上のとおり、本考案に係る置物によれば、透明な自然石の内部の形状や構造などを鑑賞することができる。また、本考案に係る置物によれば、光を自然石に照明して、自然石のレイアウト上又はデザイン上の自由度を損なうことなく、自然石のデザイン性、インテリア性を高めることができる。
【実施例】
【００２３】
図６、図７及び図８を用いて、本考案の実施例に係る置物の例を説明する。ここで、図６（ａ）は、本考案の実施例に係る置物の本体１０Ｕの一例を示す平面図である。図６（ｂ）は、本考案の実施例に係る置物の本体の一例を示す正面図である。図７は、本考案の実施例に係る置物の一例を示す説明図である。図８（ａ）は、本考案の実施例に係る置物の他の例を示す説明図である。図８（ｂ）は、本考案の実施例に係る置物の照明部の例を示す説明図である。
【００２４】
図６（ａ）及び図６（ｂ）に示すように、本考案の実施例に係る置物の本体１０Ｕは、プラスチック素材の本体であって、自然石を載置する部分はポリカーボネート素材を用いる。また、本考案の実施例に係る置物の本体１０Ｕは、照明部としてＬＥＤライトを用いる。更に、本考案の実施例に係る置物の本体１０Ｕは、底部にゴム素材を備える。
【００２５】
これにより、本実施例に係る置物の本体１０Ｕは、実施形態に係る本体１０（図２）と同様の効果を得ることができる。また、本実施例に係る置物の本体１０Ｕは、バッテリーを内蔵することによって、電源の無い場所でもＬＥＤライトで自然石を長時間照らすことができる。
【００２６】
図７に示すように、本考案の実施例に係る置物の他の例は、コップ形状又はグラス形状の台座部材を用いる。また、本考案の実施例に係る置物の他の例は、コップ形状又はグラス形状の台座部材の内部に自然石を載置される。この場合、本実施例に係る置物の他の例は、カバー部材を配置しなくてもよい。
【００２７】
図８（ａ）に示すように、本考案の実施例に係る置物の他の例は、コップ形状又はグラス形状の台座部材を用いる。また、本例の照明部１１Ｕは、図８（ｂ）に示すように、無接点型（ワイヤレス）で充電可能なＬＥＤ照明を用いる。すなわち、本考案の実施例に係る置物の他の例は、本体に無接点型（ワイヤレス）の充電器を内蔵する。また、本考案の実施例に係る置物の他の例は、コップ形状又はグラス形状の台座部材の内部に、無接点型（ワイヤレス）ＬＥＤ照明を配置する。これにより、本考案の実施例に係る置物の他の例は、グラス部分のみでの発光が可能となり、より手軽に様々な場所に設置でき、充電器（本体）に乗せるだけで充電することができる。
【００２８】
以上のとおり、本考案に係る実施形態及び実施例について説明したが、本考案は上記の実施形態及び実施例に限定されるものではない。すなわち、本考案は、実用新案登録請求の範囲に記載の内容に基づいて、様々に変形、変更又はその他任意に改変され得る。
【００２９】
また、本考案に係る置物によれば、花や観葉植物を部屋に飾るように、自然の結晶（自然石）の美しさを見て楽しむデザイン性の高いインテリア、芸術作品又は照明器具として、自然石である水晶などの天然石をお洒落に部屋に飾ることができる。また、本考案に係る置物によれば、飲食店やバルコニー、エステサロンや美容院などでも癒しの空間を演出することができる。更に、本考案に係る置物によれば、バッテリー内蔵のＬＥＤを組み合わせることで新しいインテリアとして、新築祝いや開店祝いなどにも最適なギフトとして利用することができる。
【符号の説明】
【００３０】
１００，１００Ｕ，１０１Ｕ  ：  置物
１０，１０Ｕ  ：  本体
１１，１１Ｕ  ：  照明部
１２  ：  スイッチ部材
１３  ：  主電源ボタン
１４  ：  電源差し込み部
２１  ：  台座部材
２２  ：  カバー部材
【図１】
0003197891.tif 000003
【図２】
0003197891.tif 000004
【図３】
0003197891.tif 000005
【図４】
0003197891.tif 000006
【図５】
0003197891.tif 000007
【図６】
0003197891.tif 000008
【図７】
0003197891.tif 000009
【図８】
0003197891.tif 000010